(57)【要約】【課題】刈取搬送装置によって取り込まれる石に起因した穀粒の損傷や脱穀装置の破損を、穀粒ロスの発生を招くことなく、又、製造や管理の面で有利にしながら、回避できるようにする。【解決手段】走行機体２に、植立穀稈を刈り取って搬送する刈取搬送装置３を連結装備するとともに、刈取搬送装置３によって搬送された刈取穀稈に対して脱穀・選別処理を施す脱穀装置４を搭載してある全稈投入形コンバインの穀稈搬送部構造でにおいて、刈取搬送装置３の穀稈搬送部７に、石抜き用の凹部２１と土砂抜き用の多孔部２２とを形成した底板２０を着脱可能に装備し、凹部２１に、凹部２１から機外への石の排出を可能にする排出口２６を開閉可能に設けた。【選択図】        図２
2004283009.tif 000002
【特許請求の範囲】
【請求項１】
走行機体に、植立穀稈を刈り取って搬送する刈取搬送装置を連結装備するとともに、前記刈取搬送装置によって搬送された刈取穀稈に対して脱穀・選別処理を施す脱穀装置を搭載してある全稈投入形コンバインの穀稈搬送部構造であって、
前記刈取搬送装置の穀稈搬送部に、石抜き用の凹部と土砂抜き用の多孔部とを形成した底板を着脱可能に装備し、前記凹部に、該凹部から機外への石の排出を可能にする排出口を開閉可能に設けてある全稈投入形コンバインの穀稈搬送部構造。
【発明の詳細な説明】
【０００１】
【発明の属する技術分野】
本発明は、走行機体に、植立穀稈を刈り取って搬送する刈取搬送装置を連結装備するとともに、前記刈取搬送装置によって搬送された刈取穀稈に対して脱穀・選別処理を施す脱穀装置を搭載してある全稈投入形コンバインの穀稈搬送部構造に関する。
【０００２】
【従来の技術】
全稈投入形のコンバインにおいては、穀稈が地面近くにおいても繁茂する豆類や、ぬかるんだ圃場に植わった穀類などを収穫する場合には、刈取搬送装置が穀稈とともに少なくない量の土砂を取り込んで脱穀装置に搬送することがあり、その結果、その土砂による穀粒の汚れや損傷などに起因した商品価値の低下を招くことがある。
【０００３】
そこで、従来では、刈取搬送装置における穀稈搬送部の移送案内底面や搬送案内底面に土砂排出用の多数の漏下孔又は小孔を形成することで、穀稈とともに取り込んだ土砂による穀粒の商品価値の低下を防止するようにしたものがあった（例えば特許文献１参照。）。
【０００４】
【特許文献１】
特開平３−１４７７２１号公報（第２頁における右下欄の第１１行〜第３頁における左上欄の第１２行、図１−３）
【０００５】
【発明が解決しようとする課題】
上記の従来技術では、移送案内底面や搬送案内底面に土砂排出用の多数の漏下孔又は小孔を形成するだけであることから、石の多い圃場での収穫作業によって、刈取搬送装置が穀稈とともに石を取り込んだ場合には、漏下孔や小孔の孔径よりも大きい石は漏下孔や小孔から排出されずに脱穀装置まで搬送されるようになり、その結果、その石による穀粒の損傷に起因した商品価値の低下や、脱穀装置に装備した扱胴や受網などの破損を招くことがある。
【０００６】
そこで、移送案内底面や搬送案内底面に形成する漏下孔や小孔を大径にして、それら漏下孔や小孔からの石の排出を可能にすることも考えられるが、この場合、穀稈搬送部による穀稈搬送中に、漏下孔や小孔の孔径よりも小さい穀粒や莢が、漏下孔や小孔に入り込んで引っ掛かるとともに、穀稈から分離されて漏下孔や小孔から機外に排出される、といった穀粒ロスが生じ易くなる。
【０００７】
又、上記の穀粒ロスを抑制するために、収穫する穀類における穀粒や莢の大きさを考慮した孔径の漏下孔や小孔が穀稈搬送部の移送案内底面や搬送案内底面に形成された複数種の刈取搬送装置を用意することも考えられるが、この場合、漏下孔や小孔の孔径が異なる複数種の刈取搬送装置を製造管理する必要があることから、製造や管理の面で不利になる。
【０００８】
本発明の目的は、刈取搬送装置によって取り込まれる石に起因した穀粒の損傷や脱穀装置の破損を、穀粒ロスの発生を招くことなく、又、製造や管理の面で有利にしながら、回避できるようにすることにある。
【０００９】
【課題を解決するための手段】
〔構成〕
上記目的を達成するため、本発明では、走行機体に、植立穀稈を刈り取って搬送する刈取搬送装置を連結装備するとともに、前記刈取搬送装置によって搬送された刈取穀稈に対して脱穀・選別処理を施す脱穀装置を搭載してある全稈投入形コンバインの穀稈搬送部構造において、前記刈取搬送装置の穀稈搬送部に、石抜き用の凹部と土砂抜き用の多孔部とを形成した底板を着脱可能に装備し、前記凹部に、該凹部から機外への石の排出を可能にする排出口を開閉可能に設けてある。
【００１０】
〔作用〕
上記の構成によると、刈取搬送装置によって穀稈とともに土砂や石が取り込まれた場合、その土砂や石は、穀稈搬送部での搬送作用によって穀稈とともに脱穀装置に向けて搬送されるのであるが、それらが搬送途中に形成された石抜き用の凹部を通過する際には、それらのうちの凹部よりも小さい土砂や石がその自重で凹部に落下するようになり、又、それらが搬送途中に形成された土砂抜き用の多孔部を通過する際には、それらのうちの多孔部の孔よりも小さい土砂や石がその自重で多孔部から機外に落下するようになり、その結果、刈取搬送装置によって取り込まれた土砂や石が脱穀装置まで搬送されることを効果的に抑制できる。
【００１１】
そして、石抜き用の凹部に溜まった土砂や石は、その凹部の排出口を開くことで簡単に機外に排出できる。
【００１２】
又、石抜き用の凹部と土砂抜き用の多孔部とを個別に形成することで、多孔部の各孔を、土砂の通過を許容する一方で穀粒や莢の入り込みを阻止する孔径の小さいものにすることができる上に、石の落下を許容する大きい開口を要する石抜き用として、穀粒や莢が引っ掛かり易い孔ではなく、穀粒や莢などが引っ掛かり難い凹部を採用したことで、穀稈搬送部での穀稈搬送中に、穀粒や莢が石抜き用の凹部や土砂抜き用の多孔部に引っ掛かることを効果的に抑制でき、その結果、その引っ掛かりによって穀粒や莢が穀稈から分離して多孔部などから機外に排出される不都合を効果的に防止できる。
【００１３】
更に、穀稈搬送部に対して着脱可能な底板に石抜き用の凹部と土砂抜き用の多孔部とを形成することから、それらの形成が比較的簡単に行えるようになり、又、穀稈搬送部から底板を取り外すと、穀稈搬送部の底部を大きく開放することができるので、穀稈搬送部の内部に対する掃除などのメンテナンスが行い易くなる。
【００１４】
しかも、土砂抜き用の多孔部への穀粒や莢の引っ掛かりをより効果的に抑制するために、土砂抜き用の多孔部として、その各孔の孔径が収穫する穀類における穀粒や莢の大きさを考慮して設定されたものを採用できるようにする場合には、収穫する穀類における穀粒や莢の大きさを考慮して多孔部の各孔が形成された複数種の底板を用意すればよいことから、複数種の刈取搬送装置を用意する場合に比較して、製造管理が行い易くなる。
【００１５】
〔効果〕
従って、刈取搬送装置によって取り込まれた土砂や石が脱穀装置まで搬送されることによって発生する、その土砂や石による穀粒の汚れや損傷などに起因した商品価値の低下、及び、脱穀装置に装備した扱胴や受網などの破損を、穀稈搬送部での穀稈搬送中に穀粒や莢が石抜き用の凹部や土砂抜き用の多孔部に引っ掛かること起因した穀粒ロスの発生を招くことなく回避できる上に、穀稈搬送部内に対するメンテナンスや製造管理の面で有利にすることができる。
【００１６】
【発明の実施の形態】
図１には豆類収穫用に構成された全稈投入形コンバインの全体側面が示されており、このコンバインは、左右一対のクローラ式走行装置１の駆動で走行する走行機体２の前部に、畝栽培された豆類の植立穀稈を刈り取って後方に向けて搬送する刈取搬送装置３を左右向きの第１軸心Ｘ１周りに上下揺動可能に連結し、その刈取搬送装置３からの刈取穀稈に対して脱穀処理を施すとともに、この脱穀処理で得られた処理物に対して選別処理を施す脱穀装置４や、この脱穀装置４からの穀粒を貯留する穀粒タンク５などを走行機体２に搭載し、走行機体２における穀粒タンク５の前方箇所に搭乗運転部６を形成して構成されている。
【００１７】
刈取搬送装置３は、脱穀装置４の前上部から機体前下方に向けて延出する状態の穀稈搬送部７が、油圧式の第１リフトシリンダ８の作動で左右向きの第１軸心Ｘ１周りに上下揺動し、その穀稈搬送部７の前端に左右向きの第２軸心Ｘ２周りに上下揺動可能に連結され、かつ、穀稈搬送部７に左右向きの第３軸心Ｘ３周りに上下揺動可能に連結された平面視門形の支持アーム９と、その遊端に連結された左右一対の鎖状体１０とを介して吊り下げ支持された刈取搬送部１１が、油圧式の第２リフトシリンダ１２の作動で左右向きの第２軸心Ｘ２周りに上下揺動するように構成されている。
【００１８】
刈取搬送部１１は、その前端に装備された複数のデバイダ１３が、機体の走行に伴って刈り取り対象となる２条分の植立穀稈を条ごとに分けて梳き上げ、デバイダ１３の後下部に前下がり姿勢で配備された左右の円盤形のカッター１４が、各デバイダ１３で梳き上げられた植立穀稈の畝面近くを切断し、対応するカッター１４の上方から後方に向かう後上がり姿勢で装備された左右のベルト式支持搬送機構１５が、カッター１４で切断される植立穀稈の上部側を支持するとともに、切断後の刈取穀稈を起立姿勢のまま後上方に向けて搬送して穀稈搬送部７に供給し、左右のカッター１４の間に配備されたゲージ輪１６が畝間に接地して、刈取搬送部１１の対地高さが所定高さ位置に維持される状態に、鎖状体１０の許容範囲で刈取搬送部１１を左右向きの第２軸心Ｘ２周りに追従揺動させるように構成されている。
【００１９】
穀稈搬送部７は、その前端部に左右向きに配備されたオーガ１７が、刈取搬送部１１から供給された刈取穀稈を左右方向の所定箇所に寄せ集めるとともに、その所定箇所において後方に向けて送り出し、その所定箇所から脱穀装置４の前上部にわたる供給搬送機構１８が、オーガ１７からの倒伏姿勢の刈取穀稈を、その底面１９に沿って脱穀装置４に向けて搬送するように構成されている。
【００２０】
図１〜３に示すように、供給搬送機構１８は、その底面１９を形成する底板２０の前後中間部２０Ａが着脱可能に構成され、この前後中間部２０Ａは、その穀稈搬送方向上手側に石抜き用の凹部２１が形成され、その穀稈搬送方向下手側に土砂抜き用の多孔部２２が形成され、石抜き用の凹部２１は、前後中間部２０Ａの穀稈搬送方向上手側に矩形の開口２３を形成し、その開口２３を下方から覆う状態に、上面開放矩形状の箱体２４を底板２０に装着することで形成され、土砂抜き用の多孔部２２は、前後中間部２０Ａの穀稈搬送方向下手側に複数の丸孔２５を縦横に整列する状態に穿設することで形成され、箱体２４には、その底部に形成された排出口２６を左右方向での摺動操作によって開閉する開閉板２７と、その開閉板２７を閉じ位置に固定するノブ突きボルト２８とが装備され、各丸孔２５は、土砂の通過を許容する一方で収穫する豆類の莢の入り込みを阻止する比較的小さい孔径に設定されている。
【００２１】
上記の構成から、刈取搬送装置３によって刈取穀稈とともに土砂や石が取り込まれて脱穀装置４に向けて搬送される場合には、それらが供給搬送機構１８による搬送経路中に形成した石抜き用の凹部２１を通過する際に、石や土砂がその自重で凹部２１に落下するようになり、又、それらが供給搬送機構１８による搬送経路中に形成した土砂抜き用の多孔部２２を通過する際に、丸孔２５の孔径よりも小さい土砂や石がその自重で多孔部２２から機外に落下するようになる。
【００２２】
つまり、刈取搬送装置３によって取り込まれた土砂や石が脱穀装置４まで搬送されることを効果的に抑制でき、結果、土砂や石が脱穀装置４まで搬送されて供給されることによって発生する、その土砂や石による穀粒の汚れや損傷などに起因した商品価値の低下、及び、脱穀装置４の内部に装備した図外の扱胴や受網などの破損を回避できるようになっている。
【００２３】
そして、石抜き用の凹部２１に溜まった土砂や石は、ノブ突きボルト２８及び開閉板２７を操作して排出口２６を開くことで簡単に機外に排出することができる。
【００２４】
又、石抜き用の凹部２１と土砂抜き用の多孔部２２とを個別に形成することで、その凹部２１を、石の落下を促進させる間口の大きいものに、かつ、多孔部２２の各丸孔２５を、土砂の通過を許容する一方で莢の入り込みを阻止する孔径の小さいものにすることができ、更に、間口の大きい石抜き用として、莢などが引っ掛かり易い孔ではなく、莢などが引っ掛かり難い凹部を採用することができるので、石や土砂の落下による除去を促進させながらも、莢などが石抜き用の凹部２１や土砂抜き用の多孔部２２に引っ掛かるとともに穀稈から分離されて多孔部２２から機外に排出される、といった穀粒ロスの発生を効果的に抑制できるようになっている。
【００２５】
その上、供給搬送機構１８に対して着脱可能な底板２０の前後中間部２０Ａに石抜き用の凹部２１と土砂抜き用の多孔部２２とを形成することから、それらの形成が比較的簡単に行えるようになり、又、供給搬送機構１８から底板２０の前後中間部２０Ａを取り外すと、供給搬送機構１８の底部を大きく開放することができるので、供給搬送機構１８の内部に対する掃除などのメンテナンスが行い易くなる。
【００２６】
ちなみに、底板２０の前後中間部２０Ａとして、土砂抜き用の多孔部２２の各孔径を収穫する穀類（大豆、小豆、稲、麦など）における穀粒や莢の大きさを考慮して異ならせた複数種のものを用意し、それらを収穫する穀類に応じて付け替えるようにすれば、収穫する穀類の種類にかかわらず、穀粒や莢などが土砂抜き用の多孔部２２に引っ掛かることに起因した穀粒ロスの発生を効果的に抑制できるようになる。
【００２７】
又、底板２０の前後中間部２０Ａとして、図４に示すような石抜き用の凹部２１を備えていないものや、図５に示すような石抜き用の凹部２１と土砂抜き用の多孔部２２とを備えていないものをも用意し、それらを、刈取搬送装置３によって刈取穀稈とともに石や土砂が取り込まれることのある穀類の収穫あるいは圃場での作業を行う場合、刈取搬送装置３によって刈取穀稈とともに土砂のみが取り込まれることのある穀類の収穫あるいは圃場での作業を行う場合、及び、刈取搬送装置３によって刈取穀稈とともに石や土砂が取り込まれることのない穀類の収穫あるいは圃場での作業を行う場合に応じて付け替えるようにすれば、穀粒や莢などが石抜き用の凹部２１や土砂抜き用の多孔部２２に引っ掛かることに起因した穀粒ロスの発生をより効果的に抑制できるようになる。
【００２８】
尚、図示は省略するが、この全稈投入形コンバインは、刈取搬送装置３における刈取搬送部１１を豆類収穫用のものから稲麦収穫用のものに付け替えることで、稲麦の収穫を行えるように構成されたものである。
【００２９】
〔別実施形態〕
以下、本発明の別実施形態を列記する。
（１）石抜き用の凹部２１と土砂抜き用の多孔部２２とを形成した底板２０の全体が、供給搬送機構１８に対して着脱可能となるように構成してもよい。
（２）図６に示すように、石抜き用の凹部２１に装備される開閉板２７としては、その揺動操作によって排出口２６を開閉するものであってもよく、又、図示は省略するが、その揺動式の開閉板２７がバネによって閉じ付勢され、かつ、凹部２１に溜まった石の重量で開き操作されるものであってもよく、更に、凹部２１に溜まった石の重量を検出するセンサからの検出情報に基づくアクチュエータの作動で開閉操作されるものであってもよい。
【図面の簡単な説明】
【図１】全稈投入形コンバインの全体側面図
【図２】供給搬送機構の要部の縦断側面図
【図３】石抜き用の凹部と土砂抜き用の多孔部とを備えた底板の斜視図
【図４】土砂抜き用の多孔部を備えた底板の斜視図
【図５】石抜き用の凹部と土砂抜き用の多孔部とを備えていない底板の斜視図
【図６】別実施形態における底板の斜視図
【符号の説明】
２    走行機体
３    刈取搬送装置
４    脱穀装置
７    穀稈搬送部
２０  底板
２１  凹部
２２  多孔部
２６  排出口
【図１】
2004283009.tif 000003
【図２】
2004283009.tif 000004
【図３】
2004283009.tif 000005
【図４】
2004283009.tif 000006
【図５】
2004283009.tif 000007
【図６】
2004283009.tif 000008